(57)【要約】【課題】２本のアンテナ素子を有し、この２本のアンテナ素子間のアイソレーションを、本体を大型化させずに確保することができるアンテナ装置を提供する。【解決手段】取り扱う信号波長の１／４の長さを持つ第１アンテナ素子１と、第１アンテナ素子１と同一周波数の信号を取り扱い、取り扱う信号波長の１／４の長さを持つ第２アンテナ素子２と、を備え、第１アンテナ素子１の一端に第１給電点１ａを有すると共に、第２アンテナ素子２の一端に第２給電点２ａを有し、第１アンテナ素子１の開放端１ｂと第２アンテナ素子２の開放端２ｂとの間に第１抵抗３を接続した。【選択図】図１
2015061098.tif 000002
【特許請求の範囲】
【請求項１】
取り扱う信号波長の１／４の長さを持つと共に開放端を有する第１アンテナ素子と、前記第１アンテナ素子と同一周波数の信号を取り扱い、取り扱う信号波長の１／４の長さを持つと共に開放端を有する第２アンテナ素子と、を備え、
前記第１アンテナ素子の一端に第１給電点を有すると共に、前記第２アンテナ素子の一端に第２給電点を有し、前記第１アンテナ素子の開放端と前記第２アンテナ素子の開放端との間に第１抵抗を接続したことを特徴とするアンテナ装置。
【請求項２】
前記第１抵抗の抵抗値は、前記第１アンテナ素子の開放端から前記第１給電点の側を見た時のインピーダンスの約２倍であることを特徴とする請求項１に記載のアンテナ装置。
【請求項３】
前記第１アンテナ素子と前記第２アンテナ素子とが面対称となっていることを特徴とする請求項１又は請求項２に記載のアンテナ装置。
【請求項４】
前記第１アンテナ素子の面と前記第２アンテナ素子の面とは、所定の角度で向かい合っていることを特徴とする請求項３に記載のアンテナ装置。
【請求項５】
前記第１アンテナ素子の近傍に第１無給電アンテナ素子が配置されていると共に、前記第２アンテナ素子の近傍に第２無給電アンテナ素子が配置され、
前記第１無給電アンテナ素子の一端と前記第２無給電アンテナ素子の一端とをそれぞれ接地し、前記第１無給電アンテナ素子の開放端と前記第２無給電アンテナ素子の開放端との間に第２抵抗を接続したことを特徴とする請求項１乃至請求項４のいずれかに記載のアンテナ装置。
【請求項６】
前記第１無給電アンテナ素子と前記第２無給電アンテナ素子とが面対称となっていることを特徴とする請求項５に記載のアンテナ装置。
【請求項７】
前記第１無給電アンテナ素子の面と前記第２無給電アンテナ素子の面とは、所定の角度で向かい合っていることを特徴とする請求項６に記載のアンテナ装置。
【発明の詳細な説明】
【技術分野】
【０００１】
本発明は、データ通信用のアンテナ装置に係り、特に複数のアンテナ素子を有するアンテナ装置に関する。
【背景技術】
【０００２】
近年、無線通信ネットワークにおいては、複数のシステムを単一の通信機器において利用する方式が採用されている。そのため、そのような通信機器では複数のアンテナ素子が同一のアンテナ装置内に搭載されることになる。従って、複数のアンテナ素子間のアイソレーションを確保することが重要となる。
【０００３】
複数のアンテナ素子間のアイソレーションを確保するためのシステムとして、例えば、特許文献１が知られている。特許文献１に開示されたアンテナ装置９００を、図１１を用いて説明する。
【０００４】
アンテナ装置９００では、アンテナ素子９０２及びアンテナ素子９０３が給電点９０４及び給電点９０５を介してそれぞれ接続される地板９０１に対して、両端が接続された無給電素子９０６をさらに配置した構成としたものである。このことにより、互いのアンテナ素子間のアイソレーション特性を劣化させる地板を通じて流れる電流が、無給電素子９０６に流れ込み、その共振現象により他方のアンテナ素子に励振される電流が低減される。このため、付加回路を設けなくともアンテナ素子９０２及びアンテナ素子９０３間のアイソレーション特性が確保されるので、通信機器における互いのアンテナ素子間のアイソレーション特性を維持することができるとしている。
【先行技術文献】
【特許文献】
【０００５】
【特許文献１】特開２００６−０４２１１１号公報
【発明の概要】
【発明が解決しようとする課題】
【０００６】
このように、従来のアンテナ装置９００では、無給電素子９０６を設けることにより互いのアンテナ素子間のアイソレーション特性の低下を抑えることができる。しかしながら、無給電素子９０６をアンテナ素子９０２とアンテナ素子９０３の間に挿入しなければならないため、アンテナ装置９００を大型化させる結果となっていた。
【０００７】
本発明は、このような従来技術の実情に鑑みてなされたもので、その目的は、２本のアンテナ素子を有し、この２本のアンテナ素子間のアイソレーションを、本体を大型化させずに確保することができるアンテナ装置を提供することにある。
【課題を解決するための手段】
【０００８】
この課題を解決するために、本発明のアンテナ装置は、取り扱う信号波長の１／４の長さを持つと共に開放端を有する第１アンテナ素子と、前記第１アンテナ素子と同一周波数の信号を取り扱い、取り扱う信号波長の１／４の長さを持つと共に開放端を有する第２アンテナ素子と、を備え、前記第１アンテナ素子の一端に第１給電点を有すると共に、前記第２アンテナ素子の一端に第２給電点を有し、前記第１アンテナ素子の開放端と前記第２アンテナ素子の開放端との間に第１抵抗を接続したという特徴を有する。
【０００９】
このように構成されたアンテナ装置では、第１アンテナ素子と第２アンテナ素子の２本のアンテナ素子を有し、第１アンテナ素子の開放端と第２アンテナ素子の開放端との間に第１抵抗を接続したので、互いのアンテナ素子へ漏洩するアンテナ電流を第１抵抗で消費させることができる。その結果、第１アンテナ素子と第２アンテナ素子との間のアイソレーションを確保することができる。また、第１抵抗を追加するだけで済むので、アンテナ装置本体が大型化することがない。
【００１０】
また、上記の構成において、前記第１抵抗の抵抗値は、前記第１アンテナ素子の開放端から前記第１給電点の側を見た時のインピーダンスの約２倍であるという特徴を有する。
【００１１】
このように構成されたアンテナ装置では、互いのアンテナ素子へ漏洩するアンテナ電流を最大限に第１抵抗で消費させることができるため、第１アンテナ素子と第２アンテナ素子との間のアイソレーションを最大限に確保することができる。
【００１２】
また、上記の構成において、前記第１アンテナ素子と前記第２アンテナ素子とが面対称となっているという特徴を有する。
【００１３】
このように構成されたアンテナ装置では、第１アンテナ素子と第２アンテナ素子とを互いに面対称に構成させているので、それぞれのアンテナ特性を同時に維持した状態で、第１アンテナ素子と第２アンテナ素子との間のアイソレーションを確保することができるので、設計が容易となる。
【００１４】
また、上記の構成において、  前記第１アンテナ素子の面と前記第２アンテナ素子の面とは、所定の角度で向かい合っているという特徴を有する。
【００１５】
このように構成されたアンテナ装置では、第１アンテナ素子と第２アンテナ素子との間の容量結合の度合いを設計時に調整することが容易になる。また、シャークフィン状のアンテナケース内の空間を有効に使うことができる。
【００１６】
また、上記の構成において、前記第１アンテナ素子の近傍に第１無給電アンテナ素子が配置されていると共に、前記第２アンテナ素子の近傍に第２無給電アンテナ素子が配置され、前記第１無給電アンテナ素子の一端と前記第２無給電アンテナ素子の一端とをそれぞれ接地し、前記第１無給電アンテナ素子の開放端と前記第２無給電アンテナ素子の開放端との間に第２抵抗を接続したという特徴を有する。
【００１７】
このように構成されたアンテナ装置では、第１無給電アンテナ素子及び第２無給電アンテナ素子を配置し、第１無給電アンテナ素子の開放端と第２無給電アンテナ素子の開放端との間に第２抵抗を接続することにより、第１アンテナ素子と第２アンテナ素子との間のアイソレーションを改善し易くすることができる。
【００１８】
また、上記の構成において、前記第１無給電アンテナ素子と前記第２無給電アンテナ素子とが面対称となっているという特徴を有する。
【００１９】
このように構成されたアンテナ装置では、第１無給電アンテナ素子と第２無給電アンテナ素子とを互いに面対称に構成させているので、第１アンテナ素子と第２アンテナ素子それぞれのアンテナ特性を同時に維持した状態で、第１アンテナ素子と第２アンテナ素子との間のアイソレーションを確保することができる。
【００２０】
前記第１無給電アンテナ素子の面と前記第２無給電アンテナ素子の面とは、所定の角度で向かい合っているという特徴を有する。
【００２１】
このように構成されたアンテナ装置では、第１無給電アンテナ素子と第２無給電アンテナ素子との間の容量結合の度合いを設計時に調整することが容易になる。また、シャークフィン状のアンテナケース内の空間を有効に使うことができる。
【発明の効果】
【００２２】
本発明のアンテナ装置は、第１アンテナ素子と第２アンテナ素子の２本のアンテナ素子を有し、第１アンテナ素子の開放端と第２アンテナ素子の開放端との間に第１抵抗を接続したので、互いのアンテナ素子へ漏洩するアンテナ電流を第１抵抗で消費させることができる。その結果、第１アンテナ素子と第２アンテナ素子との間のアイソレーションを確保することができる。また、第１抵抗を追加するだけで済むので、アンテナ装置本体が大型化することがない。
【図面の簡単な説明】
【００２３】
【図１】本発明の第１実施形態に係るアンテナ装置を模式的に示した図である。
【図２】第１実施形態に係るアンテナ装置の原理を説明するための図である。
【図３】第１実施形態に係るアンテナ装置をアンテナケースに収めた時の斜視図である。
【図４】第１実施形態に係るアンテナ装置の斜視図である。
【図５】第１実施形態に係るアンテナ装置の側面図である。
【図６】第１実施形態に係るアンテナ装置の、第１抵抗の抵抗値をパラメータとした時のアイソレーションの周波数特性を示すグラフである。
【図７】第１実施形態に係るアンテナ装置の、第１抵抗の抵抗値に対する放射電力の変化を示すグラフである。
【図８】第２実施形態に係るアンテナ装置の斜視図である。
【図９】第２実施形態に係るアンテナ装置の側面図である。
【図１０】第２実施形態に係るアンテナ装置の、第１抵抗及びの第２抵抗の値をパラメータとしたアイソレーションの周波数特性を示すグラフである。
【図１１】従来例に係るアンテナ装置の平面図である。
【発明を実施するための形態】
【００２４】
以下、本発明について、図面を参照しながら説明する。
【００２５】
[第１実施形態]
図１は、本発明の第１実施形態に係るアンテナ装置１００を模式的に示した図であり、図２は、アンテナ装置１００の原理を説明するための図である。
【００２６】
アンテナ装置１００は、セルラー電話用の８００ＭＨｚ帯（７７０ＭＨｚ〜９６０ＭＨｚ）の信号を送受信するためのアンテナ装置である。図１に示すように、アンテナ装置１００は、第１アンテナ素子１と、第２アンテナ素子２と、第１抵抗３とから構成されている。第１アンテナ素子１及び第２アンテナ素子２は、それぞれ、取り扱う信号波長の１／４（λ／４）の長さを持つと共に、それぞれ同一周波数の信号を取り扱う。即ち、第２アンテナ素子２の構成は第１アンテナ素子１の構成と同一になるように構成されている。第１アンテナ素子１では、その一端が、第１給電源２１の一端に接続された第１給電点１ａとなっている。また、第２アンテナ素子２では、その一端が、第２給電源２２の一端に接続された第２給電点２ａとなっている。第１アンテナ素子１と第２アンテナ素子２とは、どちらもモノポールアンテナを構成している。従って、第１アンテナ素子１及び第２アンテナ素子２は、それぞれ開放端１ｂ及び開放端２ｂを有している。また、第１給電源２１及び第２給電源２２それぞれの他端は、グランド６に接地されている。
【００２７】
図２に示すように、第１アンテナ素子１と第２アンテナ素子２との間には、容量成分Ｃ０が存在する。容量成分Ｃ０の大きさは、第１アンテナ素子１と第２アンテナ素子２との物理的距離の大きさによって決定される。容量成分Ｃ０即ち第１アンテナ素子１と第２アンテナ素子２との物理的距離は、第１アンテナ素子１と第２アンテナ素子２とを適度に相互結合させるように調整される。
【００２８】
図１及び図２に示すように、第１アンテナ素子１の開放端１ｂと第２アンテナ素子２の開放端２ｂとの間には、第１抵抗３が接続されている。第１抵抗３をこのように接続することによって、第１アンテナ素子１及び第２アンテナ素子２それぞれの、互いのアンテナ素子へ漏洩するアンテナ電流を第１抵抗３で消費させることができる。その結果、第１アンテナ素子１と第２アンテナ素子２との間のアイソレーションを確保することができる。
【００２９】
第１抵抗３が接続されていない時の第１アンテナ素子１の開放端１ｂから第１給電点１ａの側を見た時のインピーダンスは、インピーダンスＺ０となっている。また、第２アンテナ素子２の構成は、第１アンテナ素子１の構成と同一になるように設定されているので、第１抵抗３が接続されていない時の第２アンテナ素子２の開放端２ｂから第２給電点２ａの側を見た時のインピーダンスは、同じくインピーダンスＺ０となっている。図２に示すように、第１抵抗３の抵抗値Ｒ１は、上記インピーダンスＺ０の約２倍の抵抗値に設定されることが望ましい。第１抵抗３の抵抗値Ｒ１を、第１抵抗３が接続されていない時の開放端１ｂから第１給電点１ａ側を見た時のインピーダンスＺ０の約２倍の抵抗値に設定することにより、互いのアンテナ素子へ漏洩するアンテナ電流を最大限に第１抵抗３で消費させることができる。そのため、第１アンテナ素子１と第２アンテナ素子２との間のアイソレーションを最大限に確保することができる。尚、第１抵抗３の抵抗値Ｒ１は、基本的にはインピーダンスＺ０の約２倍の抵抗値に設定されるが、実際的には、シミュレーションの結果によって適宜修正されても良い。
【００３０】
次に、本発明の第１実施形態に係るアンテナ装置１００の実際の構造について、図３乃至図５を参照にして説明する。図３は、アンテナ装置１００をアンテナケース５１内に収めた時の斜視図である。また、図４はアンテナ装置１００の斜視図であり、図５はアンテナ装置１００の側面図である。
【００３１】
アンテナ装置１００は、図３に示すように、車両（図示せず）のルーフ上に搭載可能な車両アンテナ５０に収納されている。車両アンテナ５０は、アンテナ装置１００を合成樹脂製のアンテナケース５１で覆った流線型の外形形状となっている。この形状は、一般的にシャークフィン（鮫の鰭）形状と称される。車両アンテナ５０には信号伝送ケーブル（図示せず）が取り付けられており、車両内部に設置された電子機器（図示せず）に接続されて、電子機器との間で高周波信号の伝送を行うことができる。
【００３２】
アンテナ装置１００は、前述したとおり、第１アンテナ素子１と、第２アンテナ素子２と、第１抵抗３とから構成されているが、図３及び図４に示すように、車両アンテナ５０に収納するための台座５の上に搭載される。アンテナ装置１００は、車両アンテナ５０内で台座５によって強固に固定され保持される。
【００３３】
第１アンテナ素子１と第２アンテナ素子２とは、図４に示すように、一枚のフレキシブルフィルム基板４上に金属導体パターンを構成させることによって形成される。図５に示すように、フレキシブルフィルム基板４の一方の側において、金属導体パターンをシャークフィン形状に形成し、第１アンテナ素子１を構成させている。また、フレキシブルフィルム基板４の他方の側においても、金属導体パターンを同じくシャークフィン形状に形成し、第２アンテナ素子２を構成させている。フレキシブルフィルム基板４上の第１アンテナ素子１が形成されている部分と第２アンテナ素子２が形成されている部分とは、一枚のフレキシブルフィルム基板４上に形成された幅の狭い連結部７によって接続されている。第１アンテナ素子１と第２アンテナ素子２とは、同一特性を持つように構成されるため、フレキシブルフィルム基板４上で同一形状に形成される。従って、第１アンテナ素子１と第２アンテナ素子２とは、連結部７を中心として面対称となっている。また、第１アンテナ素子１と第２アンテナ素子２とは、図４に示すように、平行ではなく、所定の角度αだけ開いた状態で互いに向かい合っている。この所定の角度αによって第１アンテナ素子１と第２アンテナ素子２との間の容量結合の度合い即ち図２に示した容量成分Ｃ０が調整される。
【００３４】
図４に示すように、連結部７には、第１抵抗３が設けられていて、その両端が第１アンテナ素子１及び第２アンテナ素子２に、金属導体パターンによって接続されている。即ち、第１アンテナ素子１の開放端１ｂと第２アンテナ素子２の開放端２ｂとの間に第１抵抗３を接続している。第１抵抗３は、フレキシブルフィルム基板４上に印刷によって形成されても良いし、チップ部品等を載置するようにしても良い。第１アンテナ素子１及び第２アンテナ素子２のそれぞれの第１給電点１ａ及び第２給電点２ａは、ケーブル（図示せず）によって、車両内の通信機器（図示せず）に接続される。
【００３５】
アンテナ装置１００では、第１アンテナ素子１の開放端１ｂと第２アンテナ素子２の開放端２ｂとの間に第１抵抗３を接続することにより、前述したとおり、互いのアンテナ素子へ漏洩するアンテナ電流を第１抵抗３で消費させることができる。その結果、第１アンテナ素子１と第２アンテナ素子２との間のアイソレーションを確保することができる。また、第１抵抗３を追加するだけで済むので、アンテナ装置１００本体が大型化することがない。
【００３６】
また、第１抵抗３の抵抗値Ｒ１を、第１アンテナ素子１の開放端１ｂから第１給電点１ａ側を見た時のインピーダンスの約２倍に設定することによって、互いのアンテナ素子へ漏洩するアンテナ電流を最大限に第１抵抗３で消費させることができる。そのため、第１アンテナ素子１と第２アンテナ素子２との間のアイソレーションを最大限に確保することができる。
【００３７】
また、第１アンテナ素子１と第２アンテナ素子２とを互いに面対称に構成させることによって、それぞれのアンテナ特性を同時に維持した状態で、第１アンテナ素子１と第２アンテナ素子２との間のアイソレーションを確保することができるので、設計が容易となる。
【００３８】
また、第１アンテナ素子１の面と第２アンテナ素子２の面とを、所定の角度αで向かい合わせているので、第１アンテナ素子１と第２アンテナ素子２との間の容量結合の度合いを設計時に調整することが容易になる。また、車両アンテナ５０におけるシャークフィン形状のアンテナケース５１内の空間を有効に使うことができる。
【００３９】
次に、本発明の第１実施形態に係るアンテナ装置１００のアンテナ特性について、図６及び図７を参照にして説明する。図６は、アンテナ装置１００における、第１抵抗３の抵抗値Ｒ１をパラメータとして、互いのアンテナ素子間アイソレーションの周波数特性を示す、シミュレーションによるグラフである。また、図７は、アンテナ装置１００における、第１抵抗３の抵抗値Ｒ１に対する放射電力の変化を示す、シミュレーションによるグラフである。
【００４０】
図６に示すように、８００ＭＨｚ帯におけるアイソレーションの値が、抵抗値Ｒ１を１ＭΩ（ほぼ開放状態）から小さくするにつれて良くなっていることが分かる。そして、抵抗値Ｒ１が１ＫΩの時に良い値を示していることがわかる。また、更に抵抗値Ｒ１を１００Ωにすると逆に悪化することが分かる。従って、抵抗値Ｒ１が１ＫΩの時にアイソレーションの値が最良となることが分かる。
【００４１】
一方、図７に示すように、アンテナ装置１００からの放射電力の値は、抵抗値Ｒ１が１ＭΩ（ほぼ開放状態）から小さくなるに伴い、悪化していることが分かる。従って、抵抗値Ｒ１をむやみに小さくすることはできない。よって、第１抵抗３の抵抗値Ｒ１は、図６に示すアイソレーションの値と図７に示す放射電力の値とを共に考慮して決定される必要がある。
【００４２】
[第２実施形態]
次に、本発明の第２実施形態に係るアンテナ装置２００の実際の構造について、図８及び図９を参照にして説明する。図８は、アンテナ装置２００の斜視図であり、図９はアンテナ装置２００の側面図である。
【００４３】
アンテナ装置２００は、アンテナ装置１００と同様に、車両のルーフ上に搭載可能な車両アンテナに収納される。アンテナ装置２００と車両のルーフ上に搭載可能な車両アンテナとの関係は、アンテナ装置１００の場合と同様であるため、その説明を省略する。
【００４４】
図８及び図９に示すように、アンテナ装置２００は、主アンテナ素子１０と副アンテナ素子２０とで構成されている。主アンテナ素子１０の構成は、アンテナ装置１００の構成と全く同一であるため、その構成要件の符号は、アンテナ装置１００のものと同一としている。また、アンテナ装置１００の構成については説明済みであるため、主アンテナ素子１０の構成についての説明を省略する。
【００４５】
図８に示すように、副アンテナ素子２０は、第１無給電アンテナ素子１１と、第２無給電アンテナ素子１２と、第２抵抗１３とから構成されている。また、主アンテナ素子１０と副アンテナ素子２０とからなるアンテナ装置２００は、車両のルーフ上に搭載可能な車両アンテナ内で台座１５によって強固に固定され保持される。
【００４６】
主アンテナ素子１０の第１アンテナ素子１の近傍に副アンテナ素子２０の第１無給電アンテナ素子１１が配置されている。それと共に、主アンテナ素子１０の第２アンテナ素子２の近傍に副アンテナ素子２０の第２無給電アンテナ素子１２が配置されている。第１無給電アンテナ素子１１は、図９に示すように、第１アンテナ素子１の形状に沿って形成されており、第１アンテナ素子１と第１無給電アンテナ素子１１との間の距離によって互いの結合度が調整される。また、第２アンテナ素子２と第２無給電アンテナ素子１２との間においても同様である。
【００４７】
第１無給電アンテナ素子１１と第２無給電アンテナ素子１２とは、一枚のフレキシブルフィルム基板１４上に金属導体パターンによって形成されている。フレキシブルフィルム基板１４において、その一方の側を、図９に示すように細長いシャークフィン形状に形成し、他方の側も同じく細長いシャークフィン形状に形成している。また、フレキシブルフィルム基板１４上の第１無給電アンテナ素子１１が形成されている部分と第２無給電アンテナ素子１２が形成されている部分とは、一枚のフレキシブルフィルム基板１４上に形成された連結部１７によって接続されている。第１無給電アンテナ素子１１と第２無給電アンテナ素子１２とは、同一特性を持つように構成されるため、フレキシブルフィルム基板１４上で、同一形状に形成される。従って、第１無給電アンテナ素子１１と第２無給電アンテナ素子１２とは、連結部１７を中心として面対称となっている。また、第１無給電アンテナ素子１１と第２無給電アンテナ素子１２とは、アンテナ装置１００の場合と同様に、平行ではなく、所定の角度βだけ開いた状態で互いに向かい合っている。この所定の角度βによって第１無給電アンテナ素子１１と第２無給電アンテナ素子１２との間の容量結合の度合いが調整される。
【００４８】
第１無給電アンテナ素子１１と第２無給電アンテナ素子１２とは、図９に示すように、それぞれの一端がグランド６に接続される。また、図８に示すように、連結部１７には、第２抵抗１３が設けられていて、その両端が第１無給電アンテナ素子１１及び第２無給電アンテナ素子１２に、金属導体パターンによって接続されている。即ち、第１無給電アンテナ素子１１の一端と第２無給電アンテナ素子１２の一端とがそれぞれ接地され、第１無給電アンテナ素子１１の開放端１１ａと第２無給電アンテナ素子１２の開放端１２ａとの間に第２抵抗１３が接続される。尚、第２抵抗１３は、フレキシブルフィルム基板１４上に印刷によって形成されても良いし、チップ部品等を載置するようにしても良い。また、アンテナ装置２００においては、第２抵抗１３の抵抗値を、アンテナ装置２００の主アンテナ素子１０における第１抵抗３の抵抗値Ｒ１と同一の値に設定している。
【００４９】
アンテナ装置２００では、第１アンテナ素子１の近傍に第１無給電アンテナ素子１１を配置すると共に、第２アンテナ素子２の近傍に第２無給電アンテナ素子１２を配置した。このことにより、第１アンテナ素子１と第２アンテナ素子２によるアンテナ特性に新たな共振点を追加することができる。その結果、第１アンテナ素子１と第２アンテナ素子２との間のアイソレーションを改善し易くすることができる。また、第１無給電アンテナ素子１１の開放端１１ａと第２無給電アンテナ素子１２の開放端１２ａとの間に第２抵抗１３を接続した。第２抵抗１３をこのように接続することによって、第１無給電アンテナ素子１１及び第２無給電アンテナ素子１２それぞれの、互いの無給電アンテナ素子へ漏洩するアンテナ電流を第２抵抗１３で消費させることができる。その結果、第１アンテナ素子１と第２アンテナ素子２との間のアイソレーションを更に改善することができる。
【００５０】
また、第１無給電アンテナ素子１１と第２無給電アンテナ素子１２とを互いに面対称に構成させることによって、第１アンテナ素子１及び第２アンテナ素子２それぞれのアンテナ特性を同時に維持した状態で、第１アンテナ素子１と第２アンテナ素子２との間のアイソレーションを確保することができる。
【００５１】
また、第１無給電アンテナ素子１１の面と第２無給電アンテナ素子１２の面とを、所定の角度βで向かい合わせているので、第１無給電アンテナ素子１１と第２無給電アンテナ素子１２との間の容量結合の度合いを設計時に調整することが容易になる。また、車両アンテナにおけるシャークフィン形状のアンテナケース５１内の空間を有効に使うことができる。
【００５２】
次に、本発明の第２実施形態に係るアンテナ装置２００のアンテナ特性について、図１０を参照にして説明する。図１０は、アンテナ装置２００の、第１抵抗３の抵抗値Ｒ１をパラメータとしたアイソレーションの周波数特性を示すシミュレーションによるグラフである。
【００５３】
図１０に示すように、８００ＭＨｚ帯におけるアイソレーションの値が、８００ＭＨｚ近辺においてピークを有していること、及び抵抗値Ｒ１を１ＭΩ（ほぼ開放状態）から小さくするにつれて良くなっていることが分かる。そして、抵抗値Ｒ１が１０ＫΩの時に良い値を示している。更に抵抗値Ｒ１を１ＫΩにすると逆に悪化している。従って、抵抗値Ｒ１が１０ＫΩの時にアイソレーションの値が最良となっている。また、この時、図１０から分かるように、８００ＭＨｚ近辺以外に９００ＭＨｚ近辺においても新たな共振点を発生させることができている。このように、第１無給電アンテナ素子１１と第２無給電アンテナ素子１２とを追加することにより、アイソレーションの値を良化させることのできる帯域を、新たな共振点によって拡大させることができる。その結果、第１アンテナ素子１と第２アンテナ素子２との間のアイソレーションをより改善し易くすることができる。
【００５４】
以上説明したように、本発明のアンテナ装置は、第１アンテナ素子と第２アンテナ素子の２本のアンテナ素子を有し、第１アンテナ素子の開放端と第２アンテナ素子の開放端との間に第１抵抗を接続したので、互いのアンテナ素子へ漏洩するアンテナ電流を第１抵抗で消費させることができる。その結果、第１アンテナ素子と第２アンテナ素子との間のアイソレーションを確保することができる。また、第１抵抗を追加するだけで済むので、アンテナ装置本体が大型化することがない。
【００５５】
以上のように、本発明の第１実施形態に係るアンテナ装置１００、及び第２実施形態に係るアンテナ装置２００について説明したが、本発明は上記の実施形態に限定されるものではなく、要旨を逸脱しない範囲で種々変更して実施することが可能である。
【符号の説明】
【００５６】
１        第１アンテナ素子
１ａ      第１給電点
１ｂ      開放端
２        第２アンテナ素子
２ａ      第２給電点
２ｂ      開放端
３        第１抵抗
４        フレキシブルフィルム基板
５        台座
６        グランド
７        連結部
１０      主アンテナ素子
１１      第１無給電アンテナ素子
１１ａ    開放端
１２      第２無給電アンテナ素子
１２ａ    開放端
１３      第２抵抗
１４      フレキシブルフィルム基板
１５      台座  
１７      連結部
２０      副アンテナ素子
２１      第１給電源
２２      第２給電源
５０      車両アンテナ
５１      アンテナケース
１００    アンテナ装置
２００    アンテナ装置
【図１】
2015061098.tif 000003
【図２】
2015061098.tif 000004
【図３】
2015061098.tif 000005
【図４】
2015061098.tif 000006
【図５】
2015061098.tif 000007
【図６】
2015061098.tif 000008
【図７】
2015061098.tif 000009
【図８】
2015061098.tif 000010
【図９】
2015061098.tif 000011
【図１０】
2015061098.tif 000012
【図１１】
2015061098.tif 000013